(57)【要約】【課題】扉フレームの製造上の手間やコストを低減することが可能になる、扉フレームを提供すること。【解決手段】扉フレーム３０Ａは、建物の開口部に設けられる扉のドア本体を構成する扉フレーム３０Ａであり、複数の枠材３５を組み合わせることにより正面形状が矩形環状となるように形成された扉フレーム３０Ａであって、複数の枠材３５の中で、相互に直交する少なくとも２つの枠材３５のうち、一方の枠材３５の端部には当該一方の枠材３５の長手方向における外側に開放する凹部を１つのみ形成し、他方の枠材３５の端部には凸部を１つのみ形成し、凸部を凹部に対して当該凹部の開放側から当接させることにより、これら凹部と凸部を相互に嵌合させている。【選択図】図５
2015209745.tif 000002
【特許請求の範囲】
【請求項１】
建物の開口部に設けられる扉を構成する扉フレームであり、複数の枠材を組み合わせることにより正面形状が矩形環状となるように形成された扉フレームであって、
前記複数の枠材の中で、相互に直交する少なくとも２つの枠材のうち、一方の枠材の端部には当該一方の枠材の長手方向における外側に開放する凹部を１つのみ形成し、他方の枠材の端部には凸部を１つのみ形成し、前記凸部を前記凹部に対して当該凹部の開放側から当接させることにより、これら凹部と凸部を相互に嵌合させた、
扉フレーム。
【請求項２】
当該扉フレームの表面を覆うように、当該扉フレームに取り付けられた表面材を備え、
前記表面材によって、前記複数の枠材の少なくとも一部を当該扉フレームの外側に向けて脱落することを防止し、
前記凸部と前記凹部との嵌合によって、前記複数の枠材の少なくとも一部を当該扉フレームの内側に向けて脱落することを防止する、
請求項１に記載の扉フレーム。
【請求項３】
前記２つの枠材の少なくともいずれか一つには、前記凹部と前記凸部との嵌合が解除されることを防止するための解除防止手段を設けた、
請求項１又は２に記載の扉フレーム。
【請求項４】
前記２つの枠材の各々を、中央片と当該中央片に対して直交する一対の側片とから、当該枠材の長手方向に直交する断面による断面形状をコ字状とするように形成し、
前記一方の枠材の前記中央片を切り欠くことによって前記凹部を形成し、
前記他方の枠材の前記一対の側片を切り欠くことによって前記凸部を形成した、
請求項１から３のいずれか一項に記載の扉フレーム。
【請求項５】
当該扉フレームは、前記建物に対して中心吊りされる前記扉を構成する扉フレームであって、
前記２つの枠材は、前記扉の戸尻側に配置される縦枠材と、この縦枠材に対して直交する横枠材であり、
前記凹部と凸部を相互に嵌合させた状態において、前記縦枠材の前記横枠材側の端部の端面よりも、前記横枠材の外側の水平面を、当該扉フレームの内側寄りに位置させることにより、前記扉を前記建物に対して中心吊りするための中心吊り手段の少なくとも一部を収容するための収容空間部を形成した、
請求項１から４のいずれか一項に記載の扉フレーム。
【発明の詳細な説明】
【技術分野】
【０００１】
本発明は、扉フレームに関する。
【背景技術】
【０００２】
建物の開口部を開閉する扉は、概略的に、開口部の周縁に取り付けられたドア枠と、このドア枠に対して開閉自在に取り付けられた平板状のドア本体とを備えて構成されている。このうち、ドア本体は、扉フレームの表面に表面材を取り付けることによって構成されている。そして、扉フレームは、左右一対の縦枠材と、上下一対の横枠材とを組み合わせることにより、全体として正面形状が矩形環状となるように形成されている。
【０００３】
従来、このように扉フレームを構成する縦枠材と横枠材は、相互に突き合わせられた状態で、相互に溶接によって固定されていた（例えば、特許文献１の第２頁右上欄には、フラッシュ扉の中枠を構成する両縦枠及び上下枠を電気溶接で枠形に組み立てる点が開示されている）。
【先行技術文献】
【特許文献】
【０００４】
【特許文献１】特開昭６１−２５４７８４号公報
【発明の概要】
【発明が解決しようとする課題】
【０００５】
しかしながら、上記従来の技術においては、扉フレームを構成する縦枠材と横枠材を、相互に突き合わせられた状態で、相互に溶接によって固定されていたので、これらの縦枠材と横枠材を相互に突き合わせた状態で一旦保持しておく必要があったと共に、これらの縦枠材と横枠材を相互に溶接する必要があったので、フレームの製造に手間及びコストを要するという問題があった。
【０００６】
本発明は、上記従来技術における課題を解決するためのものであって、扉フレームの製造上の手間やコストを低減することが可能になる、扉フレームを提供することを目的とする。
【課題を解決するための手段】
【０００７】
上述した課題を解決し、目的を達成するために、請求項１に記載の扉フレームは、建物の開口部に設けられる扉を構成する扉フレームであり、複数の枠材を組み合わせることにより正面形状が矩形環状となるように形成された扉フレームであって、前記複数の枠材の中で、相互に直交する少なくとも２つの枠材のうち、一方の枠材の端部には当該一方の枠材の長手方向における外側に開放する凹部を１つのみ形成し、他方の枠材の端部には凸部を１つのみ形成し、前記凸部を前記凹部に対して当該凹部の開放側から当接させることにより、これら凹部と凸部を相互に嵌合させている。
【０００８】
また、請求項２に記載の扉フレームは、請求項１に記載の扉フレームにおいて、当該扉フレームの表面を覆うように、当該扉フレームに取り付けられた表面材を備え、前記表面材によって、前記複数の枠材の少なくとも一部を当該扉フレームの外側に向けて脱落することを防止し、前記凸部と前記凹部との嵌合によって、前記複数の枠材の少なくとも一部を当該扉フレームの内側に向けて脱落することを防止する。
【０００９】
また、請求項３に記載の扉フレームは、請求項１又は２に記載の扉フレームにおいて、前記２つの枠材の少なくともいずれか一つには、前記凹部と前記凸部との嵌合が解除されることを防止するための解除防止手段を設けている。
【００１０】
また、請求項４に記載の扉フレームは、請求項１から３のいずれか一項に記載の扉フレームにおいて、前記２つの枠材の各々を、中央片と当該中央片に対して直交する一対の側片とから、当該枠材の長手方向に直交する断面による断面形状をコ字状とするように形成し、前記一方の枠材の前記中央片を切り欠くことによって前記凹部を形成し、前記他方の枠材の前記一対の側片を切り欠くことによって前記凸部を形成している。
【００１１】
また、請求項５に記載の扉フレームは、請求項１から４のいずれか一項に記載の扉フレームにおいて、当該扉フレームは、前記建物に対して中心吊りされる前記扉を構成する扉フレームであって、前記２つの枠材は、前記扉の戸尻側に配置される縦枠材と、この縦枠材に対して直交する横枠材であり、前記凹部と凸部を相互に嵌合させた状態において、前記縦枠材の前記横枠材側の端部の端面よりも、前記横枠材の外側の水平面を、当該扉フレームの内側寄りに位置させることにより、前記扉を前記建物に対して中心吊りするための中心吊り手段の少なくとも一部を収容するための収容空間部を形成している。
【発明の効果】
【００１２】
請求項１に記載の扉フレームによれば、複数の枠材の中で、相互に直交する少なくとも２つの枠材のうち、一方の枠材の端部には当該一方の枠材の長手方向における外側に開放する凹部を１つのみ形成し、他方の枠材の端部には凸部を１つのみ形成し、凸部を凹部に対して当該凹部の開放側から当接させることにより、これら凹部と凸部を相互に嵌合させたので、少なくとも２つの枠材を凹部と凸部との嵌合構造により相互に固定することが可能になり、これら２つの枠材を従来のように相互に突き合わせた状態で一旦保持しておく必要性や、これら２つの枠材を従来のように相互に溶接する必要性がなくなるため、扉フレームの製造上の手間やコストを低減することが可能になる。また、２つの枠材を従来のように相互に突き合わせる構造では、これら２つの枠材の相互間における位置ずれが生じ易く、扉フレームの製造誤差が増大する可能性があったが、これら２つの枠材を凹部と凸部との嵌合構造により相互に固定することで、これら２つの枠材の相互間における位置ずれを低減することが可能になり、扉フレームの製造誤差を低減することが可能になる。また、凹部と凸部をそれぞれ１つのみ形成すればよいため、複数の凹部又は凸部を形成するような複雑な嵌合構造を採用する場合に比べて、扉フレームの製造上の手間やコストを一層低減することが可能になる。さらに、これら２つの枠材を従来のように相互に溶接する必要性がなくなることから、溶接が困難な材料であっても扉フレームの構成材料として適用することが可能になり、扉フレームの構成材料の選択の自由度を向上させることが可能になる。
【００１３】
請求項２に記載の扉フレームによれば、表面材によって、複数の枠材の少なくとも一部を当該扉フレームの外側に向けて脱落することを防止し、凸部と凹部との嵌合構造によって、複数の枠材の少なくとも一部を当該扉フレームの内側に向けて脱落することを防止するので、表面材による外側への脱落防止効果と、凸部と凹部との嵌合による内側への脱落防止効果とを組み合わせることで、複数の枠材の少なくとも一部が外側及び内側のいずれに対しても脱落しない安定的な扉フレームを構成することが可能になる。
【００１４】
請求項３に記載の扉フレームによれば、上記２つの枠材の少なくともいずれか一つには、凹部と凸部との嵌合が解除されることを防止するための解除防止手段を設けたので、２つの枠材の嵌合構造を一層安定的に維持することが可能になり、扉フレームの安定性を一層向上させることが可能になる。
【００１５】
請求項４に記載の扉フレームによれば、上記２つの枠材の各々を、当該枠材の長手方向に直交する断面による断面形状をコ字状とするように形成し、一方の枠材の中央片を切り欠くことによって凹部を形成し、他方の枠材の一対の側片を切り欠くことによって凸部を形成したので、比較的簡易な構造で嵌合構造を構成することが可能になり、扉フレームの製造上のコストを一層低減することが可能となる。
【００１６】
請求項５に記載の扉フレームによれば、上記２つの枠材は、扉の戸尻側に配置される縦枠材と、この縦枠材に対して直交する横枠材であり、凹部と凸部を相互に嵌合させた状態において、縦枠材の横枠材側の端部の端面よりも、横枠材の外側の水平面を、当該扉フレームの内側寄りに位置させることにより、中心吊り手段の少なくとも一部を収容するための収容空間部を形成したので、比較的簡易な構造で中心吊り手段の収容空間部を形成することが可能になり、扉フレームの製造上のコストを一層低減することが可能となる。また、中心吊り手段の少なくとも一部を扉の内側に収めることができることから、扉の意匠性を維持又は向上させることが可能となる。
【図面の簡単な説明】
【００１７】
【図１】本発明の実施の形態１に係る扉が設置された建物の要部の正面図である。
【図２】建物のドア本体を示す図であり、（ａ）は正面図、（ｂ）は平面図、（ｃ）は左側面図、（ｄ）は右側面図、（ｅ）は底面図である。
【図３】図２のドア本体のＡ−Ａ矢視断面図である。
【図４】図２のドア本体のＢ−Ｂ矢視断面図である。
【図５】扉フレームを示す図であり、（ａ）は正面図、（ｂ）は平面図、（ｃ）は左側面図、（ｄ）は右側面図、（ｅ）は底面図である。
【図６】上側横枠材と戸先側縦枠材との固定状態を示す斜視図である。
【図７】上側横枠材と戸尻側縦枠材との固定状態を示す斜視図である。
【図８】実施の形態２に係るドア本体を示す図であり、（ａ）は正面図、（ｂ）は平面図、（ｃ）は左側面図、（ｄ）は右側面図、（ｅ）は底面図である。
【図９】図８のドア本体のＣ−Ｃ矢視断面図である。
【図１０】図８のドア本体のＤ−Ｄ矢視断面図である。
【図１１】扉フレームを示す図であり、（ａ）は正面図、（ｂ）は平面図、（ｃ）は左側面図、（ｄ）は右側面図、（ｅ）は底面図である。
【図１２】上側横枠材と戸先側縦枠材との固定状態を示す斜視図である。
【図１３】爪部の詳細を示す図であり、図１２の要部の平面図である。
【図１４】上側横枠材と戸尻側縦枠材との固定状態を示す斜視図である。
【図１５】上側横枠材及び戸尻側縦枠材の変形例を示す斜視図である。
【発明を実施するための形態】
【００１８】
以下に添付図面を参照して、この発明に係る扉フレームの実施の形態を詳細に説明する。まず、〔I〕各実施の形態に共通の基本的概念について説明した後、〔II〕各実施の形態の具体的内容について説明し、〔III〕最後に、各実施の形態に対する変形例について説明する。ただし、各実施の形態によって本発明が限定されるものではない。
【００１９】
〔I〕各実施の形態に共通の基本的概念
まず、各実施の形態に共通の基本的概念について説明する。各実施の形態は、建物の開口部に設けられる扉を構成する扉フレームに係るものである。ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、又は床等）において扉を設置するために形成された開口部である。また、「扉」（ドア）の取り付け位置や用途は任意であり、例えば玄関に設置される「玄関扉」、勝手口や通用口に設置される「勝手口扉」、あるいは建物内部に設置されるための「室内扉」を含む。また、扉の開閉構造は任意であり、例えば「開き戸」や「引き戸」として構成することができる。各実施の形態では、扉が、集合住宅の如き建物の玄関に配置された開き戸である場合について説明する。
【００２０】
〔II〕各実施の形態の具体的内容
次に、各実施の形態の具体的内容について説明する。
【００２１】
〔実施の形態１〕
まず、実施の形態１について説明する。本実施の形態は、建物に対して蝶番によって固定された扉のドア本体を構成する扉フレームに係る形態である。
【００２２】
（構成）
初めに、本実施の形態に係る扉フレームが適用される扉の構成について説明する。図１は、本実施の形態に係る扉が設置された建物の要部の正面図である。なお、以下の説明では、図１のＸ方向を扉の左右方向（＋Ｘ方向を扉の左方向、−Ｘ方向を扉の右方向）、図１のＹ方向を扉の上下方向（＋Ｙ方向を扉の上方向、−Ｙ方向を扉の下方向）、図１の紙面に対して直交する方向（Ｚ方向）を扉の前後方向（紙面から奥側に至る方向（＋Ｚ方向）を扉の後方向（屋内側方向）、紙面から手前側に至る方向（−Ｚ方向）を扉の前方向（屋外側方向））と称する。
【００２３】
この図１に示すように、扉１Ａは、概略的に、ドア枠１０と、ドア本体２０Ａとを備えて構成されている。ただし、扉１Ａに関する特記しない構成については、従来と同様であるものとして説明を省略する。
【００２４】
（構成−ドア枠）
ドア枠１０は、建物の躯体２に形成された開口部３の周縁に設置されるものであり、左右一対の縦枠１１、１２、及び上下一対の横枠１３、１４を備える。これら縦枠１１、１２及び横枠１３、１４は、それぞれ開口部３の周縁における建物の躯体２に公知の方法で直接的に固定され、相互に組み合わせられて、全体として正面矩形環状の枠を構成する。以下では、必要に応じて、一対の縦枠１１、１２のうち、ドア本体２０Ａの戸先側（ドア本体２０Ａの左右のうち、後述する蝶番６３から遠い側であり、本実施の形態においては左側）の縦枠を「戸先側縦枠１１」と称し、ドア本体２０Ａの戸尻側（ドア本体２０Ａの左右のうち、蝶番６３に近い側であり、本実施の形態においては右側）の縦枠を「戸尻側縦枠１２」と称する。また、横枠１３、１４のうち、上側の横枠を「上側横枠１３」と称し、下側の横枠を「下側横枠１４」と称する。
【００２５】
ここで、戸先側縦枠１１には、デッドボルト受け、ラッチ受け、ドアガード受け（いずれも図示省略）が設けられている。デッドボルト受けは、ドア本体２０Ａを全閉位置（実施の形態１においては図１に示す位置）に位置させた状態において、ドア本体２０Ａに設けられた公知のデッドボルト（図示省略）を受けるためのデッドボルト受容手段であり、デッドボルトと対応する位置に配置されている。ラッチ受けは、ドア本体２０Ａに設けられた公知のラッチ（図示省略）を受けるためのラッチ受容手段であり、ラッチと対応する位置に配置されている。ドアガード受けは、ドア本体２０Ａに設けられた公知のドアガード（あるいはチェーンロック）（図示省略）を受けるためのドアガード受容手段であり、ドアガードと対応する位置に配置されている。このようなドア枠１０を構成する各部材は、任意の方法や材質で製造することができ、例えば、スチール製の板状体を折り曲げ成形することにより製造することができる。
【００２６】
（構成−ドア本体）
ドア本体２０Ａは、建物の開口部３を開閉するための平板状の開閉体である。図２は、ドア本体２０Ａを示す図であり、（ａ）は正面図、（ｂ）は平面図、（ｃ）は左側面図、（ｄ）は右側面図、（ｅ）は底面図である。図３は、図２のドア本体２０のＡ−Ａ矢視断面図である。図４は、図２のドア本体２０ＡのＢ−Ｂ矢視断面図である。これら図２から図４に示すように、ドア本体２０Ａは、扉フレーム３０Ａ、一対の表面材４１Ａ、４２Ａ、及びコア５０を備える。
【００２７】
（構成−ドア本体−扉フレーム）
このうち、扉フレーム３０Ａは、ドア本体２０Ａの剛性を主として担う基本構造体であり、複数の枠材３５Ａを組み合わせることによって、正面形状が矩形環状となるように形成されている。図５は、扉フレーム３０Ａを示す図であり、（ａ）は正面図、（ｂ）は平面図、（ｃ）は左側面図、（ｄ）は右側面図、（ｅ）は底面図である。具体的には、複数の枠材３５Ａは、左右一対の縦枠材３１Ａ、３２Ａ、及び上下一対の横枠材３３Ａ、３４Ａから構成されている。このうち、左右一対の縦枠材３１Ａ、３２Ａは、長手方向の長さが相互に略同一となるように形成されており、上下方向に略沿うように配置されている。また、上下一対の横枠材３３Ａ、３４Ａは、長手方向の長さが相互に略同一となるように形成されており、左右方向に略沿うように配置されている。以下では、必要に応じて、縦枠材３１Ａ、３２Ａのうち、戸先側の縦枠材３１Ａを「戸先側縦枠材３１Ａ」と称し、戸尻側の縦枠材３２Ａを「戸尻側縦枠材３２Ａ」と称する。また、横枠材３３Ａ、３４Ａのうち、上側の横枠材３３Ａを「上側横枠材３３Ａ」と称し、下側の横枠材３４Ａを「下側横枠材３４Ａ」と称する。なお、これら縦枠材３１Ａ、３２Ａ及び横枠材３３Ａ、３４Ａを特に区別する必要のないときは、単に「枠材３５Ａ」と総称する。この扉フレーム３０Ａの構成の詳細については、後述する。
【００２８】
（構成−ドア本体−表面材）
表面材４１Ａ、４２Ａは、扉フレーム３０Ａの表面を覆うように、扉フレーム３０Ａに取り付けられた表面材であり、概略的には、扉フレーム３０Ａ及びコア５０を屋内側及び屋外側から挟むように配置されている。以下では、必要に応じて、表面材４１Ａ、４２Ａのうち、屋内側に配置された表面材を「屋内側表面材４１Ａ」と称し、屋外側に配置された表面材を「屋外側表面材４２Ａ」と称する。この表面材４１Ａ、４２Ａの構成の詳細については、後述する。
【００２９】
（構成−ドア本体−コア）
コア５０は、ドア本体２０Ａの心材であり、枠材３５Ａの内部に充填されるものであって、正面形状が矩形状となるように形成されている。このコア５０の具体的な構造や材質は任意であるが、例えば、コア５０は、比較的軽量で高剛性の心材として構成されている。
【００３０】
（構成−その他の構成）
また、ドア本体２０Ａの戸先側には、把手６１、ラッチ（図示省略）、施錠装置６２、及びドアガード（あるいはチェーンロック。図示省略）が設けられている。把手６１は、ユーザがドア本体２０Ａの開閉操作を行うためのものであり、ドア本体２０Ａの前面及び後面における相互に対応する位置に配置されている。ラッチは、施錠装置６２による施錠の有無に関わらず、ドア本体２０Ａを全閉位置に維持するためのものである。このラッチは、ドア本体２０Ａの内部に設けられた連動機構（図示省略）を介して把手６１と連結されており、ユーザによる把手６１の操作に連動して、ラッチをドア本体２０Ａの戸先側の側面から出し入れすることができる。これにより、ドア本体２０Ａを全閉位置に位置させた状態において、このラッチを戸先側縦枠１１に設けられたラッチ受け（図示省略）に係止させることにより、ドア本体２０Ａを全閉位置に維持することができる。施錠装置６２は、ドア本体２０Ａを施錠するための装置であり、デッドボルト（図示省略）を備えるものであって、具体的には、ユーザがドア本体２０Ａの前方から鍵操作を行うことにより、デッドボルトをドア本体２０Ａの戸先側の側面から出し入れすることができ、ドア本体２０Ａを全閉位置に位置させた状態において、このデッドボルトを戸先側縦枠１１に設けられたデッドボルト受け（図示省略）に係止させることで、ドア本体２０Ａを施錠することができる。この施錠装置６２は、屋外側表面材４２Ａに形成された挿通口４３を介して、戸先側縦枠材３１Ａの施錠装置取付用ライナ３１ｄに収容されており、この戸先側縦枠材３１Ａに対してネジ等の固定具により固定されている。ドアガードは、ドア本体２０Ａの開度を一定以下に制限するためのものであり、屋内側表面材４１Ａを介して、戸先側縦枠材３１Ａの屋内側の側面に設けたドアガード取付用ライナ３１ｅに対してネジ等の固定具により固定されており、このドアガードの先端部を、戸先側縦枠１１に設けたドアガード受け（図示省略）に係止させることで、ドア本体２０Ａの開度を制限することができる。
【００３１】
また、ドア本体２０Ａの戸尻側には、複数の蝶番６３が設けられている。これら複数の蝶番６３は、ドア本体２０Ａを戸尻側縦枠１２に対して開動自在に軸支するためのものであり、上下方向に沿って並設されている。この蝶番６３は、公知の蝶番と同様に２つの板状片（図示省略）を開閉可能に接続して構成されており、一方の板状片が、屋内側表面材４１Ａ又は屋外側表面材４２Ａを介して、戸尻側縦枠材３２Ａの蝶番取付用ライナ３２ｄにネジ等の固定具により固定されると共に、他方の板状片が、戸尻側縦枠１２に対してネジ等の固定具により固定されている。
【００３２】
また、ドア本体２０Ａの上側には、ドアクローザ（図示省略）が設けられている。このドアクローザは、ドア本体２０Ａが開かれた場合に、このドア本体２０Ａを安全な速度で自動的に閉じるためのものであり、具体的には、ドアクローザのアーム部（図示省略）を前後方向に向けて回転させることができ、ドア本体２０Ａが開いた状態で、ドア本体２０Ａが開けられる際の力を復元力として利用しながら、ドアクローザのダンパ部（図示省略）によって急激な戻りを抑制することができる。このドアクローザは、ドア本体２０Ａの戸尻側の屋内面に配置されており、そのアーム部の一方の端部が、屋内側表面材４１Ａを介して、上側横枠材３３Ａのドアクローザ取付用ライナ３３ｄに対してネジ等の固定具により固定されていると共に、ドアクローザにおけるアーム部の他方の端部が、上側横枠１３に対してネジ等の固定具により固定されている。
【００３３】
また、ドア本体２０Ａの下側には、戸当たり用ライナ３４ｄが設けられている。この戸当たり用ライナ３４ｄは、ドア本体２０Ａが開けられる場合に、建物の廊下等に設けられた戸当たり（図示省略）がドア本体２０Ａに直接的に接触して変形等することを防止するためのものであり、ドア本体２０Ａの戸先側の屋外面に配置されている。
【００３４】
（構成−ドア本体−扉フレームの構成の詳細）
次に、ドア本体２０Ａの扉フレーム３０Ａの構成の詳細について説明する。この扉フレーム３０Ａを構成する枠材３５Ａは、特記する場合を除いて、任意の形状、方法、及び材質で製造することができる。本実施の形態において、枠材３５Ａは、中央片と、当該中央片に対して直交する一対の側片とから、枠材３５Ａの長手方向に直交する断面による断面形状がコ字状となるように形成されている。より具体的には、図５に示すように、戸先側縦枠材３１Ａは中央片３１ａと一対の側片３１ｂ、戸尻側縦枠材３２Ａは中央片３２ａと一対の側片３２ｂ、上側横枠材３３Ａは中央片３３ａと一対の側片３３ｂ、下側横枠材３４Ａは中央片３４ａと一対の側片３４ｂとから、それぞれの長手方向に直交する断面による断面形状がコ字状となるように形成されている。この形成は、例えば、スチール製の板状体を折り曲げ成形することにより行うことができる。
【００３５】
このように形成された複数の枠材３５Ａの配置方向は、屋内側表面材４１Ａ、屋外側表面材４２Ａ、施錠装置６２、あるいは蝶番６３の設置構造を考慮して決定することが好ましい。このため、本実施の形態においては、図５及び図６に示すように、上側横枠材３３Ａは、一対の側片３３ｂがドア本体２０Ａの内側に向けて突出する方向で設置されており、このことによって、上側横枠材３３Ａの中央片３３ａがドア本体２０Ａの上方寄りに位置することになり、この中央片３３ａに対して屋内側表面材４１Ａ及び屋外側表面材４２Ａを密着状に当接させて固定することができる。また、下側横枠材３４Ａは、一対の側片３４ｂがドア本体２０Ａの内側に向けて突出する方向で設置されており、このことによって、下側横枠材３４Ａの中央片３４ａがドア本体２０Ａの下方寄りに位置することになり、この中央片３４ａに対して屋内側表面材４１Ａ及び屋外側表面材４２Ａを密着状に当接させて固定することができる。
【００３６】
また、戸先側縦枠材３１Ａは、一対の側片３１ｂが戸先側縦枠１１に向けて突出する方向で配置されており、このことによって、戸先側縦枠材３１Ａの中央片３１ａと一対の側片３１ｂとの相互間に、施錠装置取付用ライナ３１ｄ及び施錠装置６２を収容するための収容スペースを、戸先側縦枠１１に対向するように形成することができる。また、戸尻側縦枠材３２Ａは、一対の側片３２ｂがコア５０に向けて突出する方向で配置されており、このことによって、戸尻側縦枠材３２Ａの中央片３２ａが戸尻側縦枠１２に対向する位置に配置され、この中央片３２ａに対して、蝶番６３を取り付けるための蝶番取付用ライナ３２ｄを固定することが形成することができる。
【００３７】
このように配置された複数の枠材３５Ａは、祖互に嵌合構造により接続されている。すなわち、これら複数の枠材３５Ａの中で、相互に直交する少なくとも２つの枠材３５Ａのうち、一方の枠材３５Ａを他方の枠材３５Ａに嵌合させることが可能となるように、一方の枠材３５Ａの端部には当該一方の枠材３５Ａの長手方向における外側に開放する凹部が１つのみ形成され、他方の枠材３５Ａの端部には凸部が１つのみ形成されている。そして、この凸部を凹部に嵌合させることで、これら２つの枠材３５Ａが相互に接続されている。
【００３８】
以下、この嵌合構造についてさらに具体的に説明する。図６は、上側横枠材３３Ａと戸先側縦枠材３１Ａとの固定状態を示す斜視図である。この図６に示すように、上側横枠材３３Ａの長手方向の左端部には、中央片３３ａの左端部分を切り欠くことによって凹部３３ｃが形成されており、戸先側縦枠材３１Ａの長手方向の上端部には、一対の側片３１ｂのそれぞれの上端部分を切り欠くことによって（より正確には、さらに中央片３１ａの屋外側端部及び屋内側端部も切り欠くことによって）凸部３１ｃが形成されている。そして、凹部３３ｃに凸部３１ｃを挿通させるように、これら凹部３３ｃと凸部３１ｃとを相互に嵌合させることによって、これら上側横枠材３３Ａの長手方向の左端部と戸先側縦枠材３１Ａの長手方向の上端部とが、従来のように相互に溶接されることなく、相互に固定されている。ここで、凹部３３ｃに対する凸部３１ｃの挿通方向は任意であり、例えば、凹部３３ｃの下方側から凸部３１ｃを挿通させることも可能であるが、本実施の形態では、凹部３３ｃは、上側横枠材３３Ａの長手方向における外側（図６における左側）に開放するように形成されているので、この外側から上側横枠材３３Ａに近づく方向に凸部３１ｃを凹部３３ｃに押し当てることで、凸部３１ｃを凹部３３ｃに挿通させて嵌合させることが可能となっている。
【００３９】
また、これら凹部３３ｃと凸部３１ｃとの具体的な形状は、これらを相互に嵌合させることが可能である限り任意であるが、本実施の形態では、上側横枠材３３Ａにおける凹部３３ｃを形成するための切り欠きの深さ（左右方向の寸法）Ｄ１を、戸先側縦枠材３１Ａの側片３１ｂの幅（左右方向の寸法）に対して同一又はそれ以下とすることで、上側横枠材３３Ａの側片３３ｂの左側の端面と、戸先側縦枠材３１Ａの側片３１ｂの左側の側面とが、相互に面一状となっている。このため、これらの端面及び側面に対して屋内側表面材４１Ａ及び屋外側表面材４２Ａを密着状に当接させることが可能となっている。また、戸先側縦枠材３１Ａにおける凸部３１ｃを形成するための切り欠きの深さ（上下方向の寸法）Ｄ２を、上側横枠材３３Ａの側片３３ｂの高さ（上下方向の寸法）に対して同一又はそれ以下とすることで、戸先側縦枠材３１Ａの中央片３１ａの上側の端面（凸部３１ｃの端面）と、上側横枠材３３Ａの中央片３３ａの上側の側面とが、相互に面一状となっている。このため、これらの端面及び側面に対して屋内側表面材４１Ａ及び屋外側表面材４２Ａを密着状に当接させることが可能となっている。
【００４０】
また、このような上側横枠材３３Ａと戸先側縦枠材３１Ａとの左端部周辺における嵌合構造は、下側横枠材３４Ａと戸先側縦枠材３１Ａとの左端部周辺における嵌合構造にも同様に適用されている。すなわち、図５に示すように、下側横枠材３４Ａの長手方向の左端部には、中央片３４ａの左端部分を切り欠くことによって凹部３４ｃが形成されており、戸先側縦枠材３１Ａの長手方向の下端部には、一対の側片３１ｂの上端部分を切り欠くことによって（より正確には、さらに中央片３１ａの屋外側端部及び屋内側端部も切り欠くことによって）凸部３１ｃが形成されている。そして、凹部３４ｃに凸部３１ｃを挿通させるように、これら凹部３４ｃと凸部３１ｃとを相互に嵌合させることによって、これら下側横枠材３４Ａの長手方向の左端部と戸先側縦枠材３１Ａの長手方向の下端部とが、従来のように相互に溶接されることなく、相互に固定されている。
【００４１】
図７は、上側横枠材３３Ａと戸尻側縦枠材３２Ａとの固定状態を示す斜視図である。この図７に示すように、上側横枠材３３Ａの長手方向の右端部には、中央片３３ａの右端部分を切り欠くことによって凹部３３ｃが形成されており、戸尻側縦枠材３２Ａの長手方向の上端部には、一対の側片３２ｂのそれぞれの上端部分を切り欠くことによって（より正確には、さらに中央片３２ａの屋外側端部及び屋内側端部も切り欠くことによって）凸部３２ｃが形成されている。そして、凹部３３ｃに凸部３２ｃを挿通させるように、これら凹部３３ｃと凸部３２ｃとを相互に嵌合させることによって、これら上側横枠材３３Ａの長手方向の右端部と戸尻側縦枠材３２Ａの長手方向の上端部とが、従来のように相互に溶接されることなく、相互に固定されている。ここで、凹部３３ｃに対する凸部３２ｃの挿通方向は任意であり、例えば、凹部３３ｃの下方側から凸部３２ｃを挿通させることも可能であるが、本実施の形態では、凹部３３ｃは、上側横枠材３３Ａの長手方向における外側（図７における右側）に開放するように形成されているので、この外側から上側横枠材３３Ａに近づく方向に凸部３２ｃを凹部３３ｃに押し当てることで、凸部３２ｃを凹部３３ｃに挿通させることが可能となっている。
【００４２】
また、これら凹部３３ｃと凸部３２ｃとの具体的な形状は、これらを相互に嵌合させることが可能である限り任意であるが、本実施の形態では、上側横枠材３３Ａにおける凹部３３ｃを形成するための切り欠きの深さ（左右方向の寸法）Ｄ３を戸尻側縦枠材３２Ａの側片３２ｂの幅（左右方向の寸法）より長くすることで、上側横枠材３３Ａの側片３３ｂの右側の端面が、戸尻側縦枠材３２Ａの側片３２ｂの右側の側面よりも、戸尻側縦枠１２に向けて突出しており、図４に示すように、このことによって戸尻側縦枠材３２Ａの中央片３２ａと屋内側表面材４１Ａ及び屋外側表面材４２Ａとの相互間に形成された収容スペースに、蝶番取付用ライナ３２ｄを収容することが可能となっている。また、図７に示すように、戸尻側縦枠材３２Ａにおける凸部３２ｃを形成するための切り欠きの深さ（上下方向の寸法）Ｄ４を、上側横枠材３３Ａの側片３３ｂの高さ（上下方向の寸法）に対して同一又はそれ以下とすることで、戸尻側縦枠材３２Ａの中央片３２ａの上側の端面（凸部３２ｃの端面）と、上側横枠材３３Ａの中央片３３ａの上側の側面とが、相互に面一状となっている。このため、これらの端面及び側面に対して屋内側表面材４１Ａ及び屋外側表面材４２Ａを密着状に当接させることが可能となっている。
【００４３】
また、このような上側横枠材３３Ａと戸尻側縦枠材３２Ａとの右端部周辺における嵌合構造は、下側横枠材３４Ａと戸尻側縦枠材３２Ａとの右端部周辺における嵌合構造にも同様に適用されている。すなわち、図５に示すように、下側横枠材３４Ａの長手方向の右端部には、中央片３４ａの右端部分を切り欠くことによって凹部３４ｃが形成されており、戸尻側縦枠材３２Ａの長手方向の下端部には、一対の側片３２ｂの下端部分を切り欠くことによって（より正確には、さらに中央片３２ａの屋外側端部及び屋内側端部も切り欠くことによって）凸部３２ｃが形成されている。そして、凹部３４ｃに凸部３２ｃを挿通させるように、これら凹部３４ｃと凸部３２ｃとを相互に嵌合させることによって、これら下側横枠材３４Ａの長手方向の右端部と戸尻側縦枠材３２Ａの長手方向の下端部とが、従来のように相互に溶接されることなく、相互に固定されている。
【００４４】
（構成−ドア本体−表面材の構成の詳細）
次に、実施の形態１に係るドア本体２０Ａの屋内側表面材４１Ａ及び屋外側表面材４２Ａの構成の詳細について説明する。図３及び図４に示すように、屋内側表面材４１Ａは、主面部４１ａ、上側面部４１ｂ、下側面部４１ｃ、戸先側面部４１ｄ、及び戸尻側面部４１ｅを備えて構成されている。主面部４１ａは、扉フレーム３０Ａ及びコア５０の屋内側の側面を覆い、上側面部４１ｂは、上側横枠材３３Ａの上側の側面における屋内側寄りの部分を覆い、下側面部４１ｃは、下側横枠材３４Ａの下側の側面における屋内側寄りの部分を覆い、戸先側面部４１ｄは、戸先側縦枠材３１Ａの左側の側面における屋内側寄りの部分を覆い、戸尻側面部４１ｅは、戸尻側縦枠材３２Ａの右側の側面における屋内側寄りの部分を覆っている。なお、戸先側面部４１ｄの屋外側の端部は、戸先側縦枠材３１Ａに向けて折り曲げられており、戸尻側面部４１ｅの屋外側の端部は、戸尻側縦枠材３２Ａに向けて折り曲げられている。これら屋内側表面材４１Ａの各部を扉フレーム３０Ａ及びコア５０に対して固定するための構造は任意であるが、本実施の形態においては、これら屋内側表面材４１Ａの各部が自己に対向する扉フレーム３０Ａの各部及びコア５０に対して接着剤により固定されており、さらに、上側面部４１ｂは上側横枠材３３Ａに対してリベット４４により固定されており、下側面部４１ｃは下側横枠材３４Ａに対してリベット４５により固定されている。また、戸先側面部４１ｄの端部は、屋外側表面材４２Ａの後述する戸先側面部４２ｄの端部に対して突き合せられており、戸尻側面部４１ｅの端部は、屋外側表面材４２Ａの後述する戸尻側面部４２ｅの端部に対して突き合せられている。このように構成された屋内側表面材４１Ａの具体的な形成方法は任意であるが、本実施の形態においては、１枚の薄厚の鋼板を折り曲げ加工することで、これら屋内側表面材４１Ａの各部を相互に一体に形成している。
【００４５】
また、屋外側表面材４２Ａは、主面部４２ａ、上側面部４２ｂ、下側面部４２ｃ、戸先側面部４２ｄ、及び戸尻側面部４２ｅを備えて構成されている。主面部４２ａは、扉フレーム３０Ａ及びコア５０の屋外側の側面を覆い、上側面部４２ｂは、上側横枠材３３Ａの上側の側面における屋外側寄りの部分を覆い、下側面部４２ｃは、下側横枠材３４Ａの下側の側面における屋外側寄りの部分を覆い、戸先側面部４２ｄは、戸先側縦枠材３１Ａの左側の側面における屋外側寄りの部分を覆い、戸尻側面部４２ｅは、戸尻側縦枠材３２Ａの右側の側面における屋外側寄りの部分を覆っている。なお、戸先側面部４２ｄの屋内側の端部は、戸先側縦枠材３１Ａに向けて折り曲げられており、戸尻側面部４２ｅの屋内側の端部は、戸尻側縦枠材３２Ａに向けて折り曲げられている。これら屋外側表面材４２Ａの各部を扉フレーム３０Ａ及びコア５０に対して固定するための構造は任意であるが、本実施の形態においては、これら屋外側表面材４２Ａの各部が自己に対向する扉フレーム３０Ａの各部及びコア５０に対して接着剤により固定されており、さらに、上側面部４２ｂは上側横枠材３３Ａに対してリベット４４により固定されており、下側面部４２ｃは下側横枠材３４Ａに対してリベット４５により固定されている。また、戸先側面部４２ｄの端部は、戸先側面部４１ｄの端部に対して突き合せられており、戸尻側面部４２ｅの端部は、戸尻側面部４１ｅの端部に対して突き合せられている。このように構成された屋外側表面材４２Ａの具体的な形成方法は任意であるが、本実施の形態においては、１枚の薄厚の鋼板を折り曲げ加工することで、これら屋外側表面材４２Ａの各部を相互に一体に形成している。
【００４６】
このように形成された屋内側表面材４１Ａ及び屋外側表面材４２Ａは、扉フレーム３０Ａ及びコア５０を外部から非露出状となるように覆う化粧材として機能する他、扉フレーム３０Ａの複数の枠材３５Ａの脱落を防止する構造材としても機能する。以下、この点を含め、扉フレーム３０Ａの複数の枠材３５Ａを固定するための固定構造について、さらに詳細に説明する。
【００４７】
（構成−扉フレームの複数の枠材の固定構造）
最初に、戸先側縦枠材３１Ａの固定構造について説明する。上述したように、戸先側縦枠材３１Ａは、戸先側縦枠材３１Ａの凸部３１ｃと上側横枠材３３Ａの凹部３３ｃ及び下側横枠材３４Ａの凹部３４ｃとを相互に嵌合させることによって、上側横枠材３３Ａ及び下側横枠材３４Ａに接続されている。特に、図６に部分的に示すように、凸部３１ｃの内側（戸尻側）の側面を上側横枠材３３Ａ及び下側横枠材３４Ａに対して当接させることで、凸部３１ｃが内側（戸尻側）に移動することを規制し、戸先側縦枠材３１Ａが扉フレーム３０Ａの内側に向けて脱落することを防止している。一方、凹部３３ｃは外側（戸先側）に開放するように形成されているので、戸先側縦枠材３１Ａが何らかの理由により外側（戸先側）に向かう力を受けた場合には、凸部３１ｃが外側（戸先側）に移動して凹部３３ｃ及び凹部３４ｃから外れ、戸先側縦枠材３１Ａが扉フレーム３０Ａの外側（戸先側）に向けて脱落する可能性がある。しかしながら、本実施の形態では、上述したように、この戸先側縦枠材３１Ａの外側（戸先側）に屋内側表面材４１Ａの戸先側面部４１ｄと屋外側表面材４２Ａの戸先側面部４２ｄとを配置しているので、これら戸先側面部４１ｄと戸先側面部４２ｄとによって戸先側縦枠材３１Ａが外側（戸先側）に移動することを規制し、戸先側縦枠材３１Ａが扉フレーム３０Ａの外側（戸先側）に向けて脱落することを防止している。このように本実施の形態では、戸先側縦枠材３１Ａが扉フレーム３０Ａから脱落することに関して、内側（戸尻側）に対して脱落することを凸部３１ｃと凹部３３ｃ及び凹部３４ｃとの嵌合構造により防止すると共に、外側に対して脱落することを屋内側表面材４１Ａ及び屋外側表面材４２Ａにより防止している。
【００４８】
また戸尻側縦枠材３２Ａの固定構造についても、上記した戸先側縦枠材３１Ａの固定構造と同様である。すなわち、本実施の形態では、戸尻側縦枠材３２Ａが扉フレーム３０Ａから脱落することに関して、内側（戸先側）に対して脱落することを凸部３２ｃと凹部３３ｃ及び凹部３４ｃとの嵌合構造により防止すると共に、外側（戸尻側）に対して脱落することを、戸尻側縦枠材３２Ａの外側（戸尻側）に屋内側表面材４１Ａの戸尻側面部４１ｅと屋外側表面材４２Ａの戸尻側面部４２ｅとを配置することで防止している。
【００４９】
次に、上側横枠材３３Ａの固定構造について説明する。上述したように、上側横枠材３３Ａは、上側横枠材３３Ａの凹部３３ｃと戸先側縦枠材３１Ａの凸部３１ｃ及び戸尻側縦枠材３２Ａの凸部３２ｃとを相互に嵌合させることによって、戸先側縦枠材３１Ａ及び戸尻側縦枠材３２Ａに接続されている。特に、図６及び図７に部分的に示すように、上側横枠材３３Ａの一対の側片３３ｂの内側（下側）の面を、戸先側縦枠材３１Ａの一対の側片３１ｂの外側（上側）の面と戸尻側縦枠材３２Ａの一対の側片３２ｂの外側（上側）の面とに当接させることで、側片３３ｂが内側（下側）に移動することを規制し、上側横枠材３３Ａが扉フレーム３０Ａの内側（下側）に向けて脱落することを防止している。一方、凹部３３ｃは外側（上側）に開放するように形成されているので、上側横枠材３３Ａが何らかの理由により外側（上側）に向かう力を受けた場合には、凹部３３ｃが外側（上側）に移動してこの凹部３３ｃから凸部３１ｃ及び凸部３２ｃが外れ、上側横枠材３３Ａが扉フレーム３０Ａの外側（上側）に向けて脱落する可能性がある。しかしながら、本実施の形態では、上述したように、上側横枠材３３Ａの外側（上側）に屋内側表面材４１Ａの上側面部４１ｂと屋外側表面材４２Ａの上側面部４２ｂとを配置しているので、これら上側面部４１ｂと上側面部４２ｂとによって凹部３３ｃが外側（上側）に移動することを規制し、上側横枠材３３Ａが扉フレーム３０Ａの外側（上側）に向けて脱落することを防止している。このように本実施の形態では、上側横枠材３３Ａが扉フレーム３０Ａから脱落することに関して、内側（下側）に対して脱落することを凹部３３ｃと凸部３１ｃ及び凸部３２ｃとの嵌合構造により防止すると共に、外側（上側）に対して脱落することを屋内側表面材４１Ａ及び屋外側表面材４２Ａにより防止している。
【００５０】
また下側横枠材３４Ａの固定構造についても、上記した上側横枠材３３Ａの固定構造と同様である。すなわち、本実施の形態では、下側横枠材３４Ａが扉フレーム３０Ａから脱落することに関して、内側（上側）に対して脱落することを凹部３４ｃと凸部３１ｃ及び凸部３２ｃとの嵌合構造により防止すると共に、外側（下側）に対して脱落することを、下側横枠材３４Ａの外側（下側）に対して、屋内側表面材４１Ａの下側面部４１ｃと屋外側表面材４２Ａの下側面部４２ｃとを配置することで防止している。
【００５１】
（ドア本体の製造方法）
最後に、ドア本体２０Ａの製造方法について説明する。
【００５２】
まず、屋外側表面材４２Ａの内面が上向きとなるように、当該屋外側表面材４２Ａを組立台（図示省略）の上面に載置する。そして、上側横枠材３３Ａと下側横枠材３４Ａの各側面のうち、屋内側表面材４１Ａ又は屋外側表面材４２Ａに対して当接する面に接着剤を塗布した後、これら上側横枠材３３Ａと下側横枠材３４Ａとをそれぞれ屋外側表面材４２Ａの内面における所定の固定位置に載置することにより、これら上側横枠材３３Ａと下側横枠材３４Ａとを屋外側表面材４２Ａに固定する。
【００５３】
次に、戸先側縦枠材３１Ａと戸尻側縦枠材３２Ａの各側面のうち、屋内側表面材４１Ａ又は屋外側表面材４２Ａに対して当接する面に接着剤を塗布した後、これら戸先側縦枠材３１Ａと戸尻側縦枠材３２Ａとをそれぞれ屋外側表面材４２Ａの内面における所定の固定位置に載置することにより、これら戸先側縦枠材３１Ａと戸尻側縦枠材３２Ａとを屋外側表面材４２Ａに固定する。この際、戸先側縦枠材３１Ａの凸部３１ｃを上側横枠材３３Ａの凹部３３ｃと下側横枠材３４Ａの凹部３４ｃとに嵌合させることにより、戸先側縦枠材３１Ａを上側横枠材３３Ａと下側横枠材３４Ａとに嵌合構造により接続する。また同様に、戸尻側縦枠材３２Ａの凸部３２ｃを上側横枠材３３Ａの凹部３３ｃと下側横枠材３４Ａの凹部３４ｃとに嵌合させることにより、戸尻側縦枠材３２Ａを上側横枠材３３Ａと下側横枠材３４Ａとに嵌合構造により接続する。
【００５４】
次いで、コア５０の各側面のうち、屋内側表面材４１Ａ又は屋外側表面材４２Ａに対して当接する面に接着剤を塗布した後、このコア５０を屋外側表面材４２Ａの内面に載置することにより、コア５０を屋外側表面材４２Ａに固定する。また、施錠装置取付用ライナ３１ｄ、複数の蝶番取付用ライナ３２ｄ、ドアクローザ取付用ライナ３３ｄ、戸当たり用ライナ３４ｄ、及びドアガード取付用ライナ３１ｅを、戸先側縦枠材３１Ａ、戸尻側縦枠材３２Ａ、上側横枠材３３Ａ、下側横枠材３４Ａや、コア５０に対して、接着剤や構造用接合テープ等の公知の方法により接続する。
【００５５】
その後、屋内側表面材４１Ａの内面が下向きとなるように、屋内側表面材４１Ａを屋外側表面材４２Ａ、扉フレーム３０Ａ、又はコア５０に載置することで、これら屋内側表面材４１Ａと、屋外側表面材４２Ａ、扉フレーム３０Ａ、及びコア５０とを接続する。
【００５６】
そして、屋内側表面材４１Ａ及び屋外側表面材４２Ａに塗布された接着剤が硬化した後、屋内側表面材４１Ａ及び屋外側表面材４２Ａを、上側横枠材３３Ａ及び下側横枠材３４Ａに対してリベット４４により接続する。これにてドア本体２０Ａの製造が終了する。
【００５７】
（実施の形態１の効果）
このように実施の形態１によれば、複数の枠材３５Ａの中で、相互に直交する少なくとも２つの枠材３５Ａのうち、一方の枠材３５Ａの端部には当該一方の枠材３５Ａの長手方向における外側に開放する凹部３３ｃ、３４ｃを１つのみ形成し、他方の枠材３５Ａの端部には凸部３１ｃ、３２ｃを１つのみ形成し、凸部３１ｃ、３２ｃを凹部３３ｃ、３４ｃに対して当該凹部３３ｃ、３４ｃの開放側から当接させることにより、これら凹部３３ｃ、３４ｃと凸部３１ｃ、３２ｃを相互に嵌合させたので、少なくとも２つの枠材３５Ａを凹部３３ｃ、３４ｃと凸部３１ｃ、３２ｃとの嵌合構造により相互に固定することが可能になり、これら２つの枠材３５Ａを従来のように相互に突き合わせた状態で一旦保持しておく必要性や、これら２つの枠材３５Ａを従来のように相互に溶接する必要性がなくなるため、扉フレーム３０Ａの製造上の手間やコストを低減することが可能になる。また、２つの枠材３５Ａを従来のように相互に突き合わせる構造では、これら２つの枠材３５Ａの相互間における位置ずれが生じ易く、扉フレーム３０Ａの製造誤差が増大する可能性があったが、これら２つの枠材３５Ａを凹部３３ｃ、３４ｃと凸部３１ｃ、３２ｃとの嵌合構造により相互に固定することで、これら２つの枠材３５Ａの相互間における位置ずれを低減することが可能になり、扉フレーム３０Ａの製造誤差を低減することが可能になる。また、凹部３３ｃ、３４ｃと凸部３１ｃ、３２ｃをそれぞれ１つのみ形成すればよいため、複数の凹部３３ｃ、３４ｃ又は凸部３１ｃ、３２ｃを形成するような複雑な嵌合構造を採用する場合に比べて、扉フレーム３０Ａの製造上の手間やコストを一層低減することが可能になる。さらに、これら２つの枠材３５Ａを従来のように相互に溶接する必要性がなくことから、溶接が困難な材料であっても扉フレーム３０Ａの構成材料として適用することが可能になり、扉フレーム３０Ａの構成材料の選択の自由度を向上させることが可能になる。
【００５８】
また、屋内側表面材４１Ａと屋外側表面材４２Ａによって、複数の枠材３５Ａの少なくとも一部を当該扉フレーム３０Ａの外側に向けて脱落することを防止し、凹部３３ｃ、３４ｃと凸部３１ｃ、３２ｃとの嵌合によって、複数の枠材３５Ａの少なくとも一部を当該扉フレーム３０Ａの内側に向けて脱落することを防止するので、表面材による外側への脱落防止効果と、凸部３１ｃ、３２ｃと凹部３３ｃ、３４ｃとの嵌合による内側への脱落防止効果とを組み合わせることで、複数の枠材３５Ａの少なくとも一部が外側及び内側のいずれに対しても脱落しない安定的な扉フレーム３０Ａを構成することが可能になる。
【００５９】
また、上記２つの枠材３１Ａ、３３Ａの各々を、当該枠材３１Ａ、３３Ａの長手方向に直交する断面による断面形状をコ字状とするように形成し、一方の枠材３３Ａの中央片３３ａを切り欠くことによって凹部３３ｃを形成し、他方の枠材３１Ａの一対の側片３１ｂを切り欠くことによって凸部３１ｃを形成したので、比較的簡易な構造で嵌合構造を構成することが可能になり、扉フレーム３０Ａの製造上のコストを一層低減することが可能となる。
【００６０】
〔実施の形態２〕
次に、実施の形態２に係る扉フレームについて説明する。本実施の形態は、建物に対して中心吊りによって固定されている扉のドア本体を構成する扉フレームに係る形態である。ただし、この実施の形態２の構成は、特記する場合を除いて、実施の形態１の構成と略同一であり、実施の形態１の構成と略同一の構成については、この実施の形態１で用いたものと同一の符号及び／又は名称を必要に応じて付して、その説明を省略する。
【００６１】
（構成）
まず、実施の形態２に係る扉の構成について説明する。図８は、本実施の形態に係る扉のドア本体を示す図であり、（ａ）は正面図、（ｂ）は平面図、（ｃ）は左側面図、（ｄ）は右側面図、（ｅ）は底面図である。図９は、図８のドア本体のＣ−Ｃ矢視断面図である。図１０は、図８のドア本体のＤ−Ｄ矢視断面図である。図１１は、扉フレームを示す図であり、（ａ）は正面図、（ｂ）は平面図、（ｃ）は左側面図、（ｄ）は右側面図、（ｅ）は底面図である。図１２は、上側横枠材と戸先側縦枠材との固定状態を示す斜視図である。図１３は、上側横枠材と戸尻側縦枠材との固定状態を示す斜視図である。これら図８から図１３に示すように、実施の形態２に係る扉１Ｂは、概略的に、ドア枠１０と、ドア本体２０Ｂとを備えて構成されており、実施の形態１に係る扉１Ａとほぼ同様に構成されているが、複数の蝶番６３に代えて上側ピボットヒンジ及び下側ピボットヒンジ（いずれも図示省略）を備えており、これら上側ピボットヒンジ及び下側ピボットヒンジを収容するためにドア本体２０Ｂの一部が、実施の形態１のドア本体２０Ａとは異なる構造になっている。
【００６２】
（構成−ドア本体）
ドア本体２０Ｂは、建物の開口部３を開閉するための平板状の開閉体である。図８から図１３に示すように、ドア本体２０Ｂは、扉フレーム３０Ｂ、一対の表面材４１Ｂ、４２Ｂ、及びコア５０を備える。
【００６３】
（構成−ドア本体−扉フレーム）
このうち、扉フレーム３０Ｂは、ドア本体２０Ｂの剛性を主として担う基本構造体であり、複数の枠材３５Ｂを組み合わせることによって、正面形状が矩形環状となるように形成されている。具体的には、複数の枠材３５Ｂは、左右一対の縦枠材３１Ｂ、３２Ｂ、及び上下一対の横枠材３３Ｂ、３４Ｂから構成されている。このうち、左右一対の縦枠材３１Ｂ、３２Ｂは、長手方向の長さが相互に略同一となるように形成されており、上下方向に略沿うように配置されている。また、上下一対の横枠材３３Ｂ、３４Ｂは、長手方向の長さが相互に略同一となるように形成されており、左右方向に略沿うように配置されている。以下では、必要に応じて、縦枠材３１Ｂ、３２Ｂのうち、戸先側の縦枠材３１Ｂを「戸先側縦枠材３１Ｂ」と称し、戸尻側の縦枠材３２Ｂを「戸尻側縦枠材３２Ｂ」と称する。また、横枠材３３Ｂ、３４Ｂのうち、上側の横枠材３３Ｂを「上側横枠材３３Ｂ」と称し、下側の横枠材３４Ｂを「下側横枠材３４Ｂ」と称する。なお、これら縦枠材３１Ｂ、３２Ｂ及び横枠材３３Ｂ、３４Ｂを特に区別する必要のないときは、単に「枠材３５Ｂ」と総称する。
【００６４】
（構成−ドア本体−表面材）
表面材４１Ｂ、４２Ｂは、扉フレーム３０Ｂの表面を覆うように、扉フレーム３０Ｂに取り付けられた表面材であり、概略的には、扉フレーム３０Ｂ及びコア５０を屋内側及び屋外側から挟むように配置されている。以下では、必要に応じて、表面材４１Ｂ、４２Ｂのうち、屋内側に配置された表面材を「屋内側表面材４１Ｂ」と称し、屋外側に配置された表面材を「屋外側表面材４２Ｂ」と称する。
【００６５】
（構成−上側ピボットヒンジ及び下側ピボットヒンジ）
上側ピボットヒンジ及び下側ピボットヒンジは、ドア本体２０Ｂを建物に対して中心吊りするための中心吊り手段である。これら上側ピボットヒンジ及び下側ピボットヒンジは、ドア本体２０Ｂにおける左右中心位置よりも戸尻側寄りの位置に配置されており、このうち、上側ピボットヒンジは、ドア本体２０Ｂの上方に配置され、下側ピボットヒンジは、ドア本体２０Ｂの下方に配置されている。これら上側ピボットヒンジ及び下側ピボットヒンジは、従来と同様に構成することができる。
【００６６】
上側ピボットヒンジは、上側横枠１３に対してネジ等の固定具により固定されると共に、屋内側表面材４１Ｂの上側面部４１ｂ及び屋外側表面材４２の上側面部４２ｂに渡って形成された挿通口４６を介して、上側横枠材３３Ｂの上面に設けられたピボットヒンジ取付用ライナ３３ｅに対してネジ等の固定具により固定されている。また、下側ピボットヒンジは、下側横枠１４に対してネジ等の固定具により固定されると共に、屋内側表面材４１Ｂの下側面部４１ｃ及び屋外側表面材４２Ｂの下側面部４２ｃに渡って形成された挿通口４７を介して、下側横枠材３４Ａの下面に設けられたピボットヒンジ取付用ライナ３４ｅに対してネジ等の固定具により固定されている。
【００６７】
（構成−ドア本体−扉フレームの構成の詳細）
次に、ドア本体２０Ｂの扉フレーム３０Ｂの構成の詳細について説明する。実施の形態１のように蝶番６３を用いた支持構造に代えて、本実施の形態においては上側ピボットヒンジ及び下側ピボットヒンジを用いた中心吊り構造を採用しているため、扉フレーム３０Ｂの構成についても、本実施の形態とは一部が異なるものとなっている。
【００６８】
すなわち、扉フレーム３０Ｂには、上側ピボットヒンジや下側ピボットヒンジの少なくも一部を収容するための収容空間部７０、７１が形成されている。具体的には、図８及び図１１に示すように、上側横枠材３３Ｂは、第１部分３３ｆ、中央部分３３ｇ、及び第２部分３３ｈを、当該上側横枠材３３Ｂの長手方向にこの順で並設して構成されている。第１部分３３ｆ、は、上側横枠材３３Ｂにおける最も戸尻側の部分であり、ドア本体２０Ｂを全閉位置に位置させた状態において、上側横枠１３に対して第２部分３３ｈよりも離れた位置において平行に配置される。第２部分３３ｈは、上側横枠材３３Ｂにおける最も戸先側の部分であり、ドア本体２０Ｂを全閉位置に位置させた状態において、上側横枠１３に対して最も近接するように平行に配置される。中央部分３３ｇは、これら第１部分３３ｆと第２部分３３ｈとの相互間に位置する部分であり、ドア本体２０Ｂを全閉位置に位置させた状態において、上側横枠１３に対して離れた位置から近接する位置に至るように非平行に配置される。また、図１４に示すように、戸尻側縦枠材３２Ｂの凹部３２ｅと上側横枠材３３Ｂの凸部３３ｉを相互に嵌合させた状態において、戸尻側縦枠材３２Ｂの上端部の端面よりも、上側横枠材３３Ｂの外側の水平面（第１部分３３ｆの上面）を、当該扉フレーム３０Ｂの内側寄り（下方側寄り）に位置させている。このような構成により、第１部分３３ｆを上側横枠１３に対して第２部分３３ｈよりも離れた位置に配置させており、ドア本体２０Ｂを全閉位置に位置させた状態において、これら第１部分３３ｆと上側横枠１３との相互間に、上側ピボットヒンジの少なくも一部を収容するための収容空間部７０が形成される。例えば、上側ピボットヒンジが、上下一対のプレートと、及びこれらプレートを相互に回転可能に軸支する支持部とを備えて構成されている場合には、下方側のプレートや支持部の全部又は一部が、収容空間部７０に収容される。なお、上側横枠材３３Ｂを構成する第１部分３３ｆ、中央部分３３ｇ、及び第２部分３３ｈの具体的な形成方法は任意であるが、本実施の形態においては、直線状の枠部材を中央部分３３ｇの長手方向の両端部周辺で折り曲げることにより、これら第１部分３３ｆ、中央部分３３ｇ、及び第２部分３３ｈを相互に一体に形成している。
【００６９】
また、下側横枠材３４Ｂは、第１部分３４ｆ、中央部分３４ｇ、及び第２部分３４ｈを、当該下側横枠材３４Ｂの長手方向にこの順で並設して構成されている。第１部分３４ｆは、下側横枠材３４Ｂにおける最も戸尻側の部分であり、ドア本体２０Ｂを全閉位置に位置させた状態において、下側横枠１４に対して第２部分３４ｈよりも離れた位置において平行に配置される。第２部分３４ｈは、下側横枠材３４Ｂにおける最も戸先側の部分であり、ドア本体２０Ｂを全閉位置に位置させた状態において、下側横枠１４に対して最も近接するように平行に配置される。中央部分３４ｇは、これら第１部分３４ｆと第２部分３４ｈとの相互間に位置する部分であり、ドア本体２０Ｂを全閉位置に位置させた状態において、下側横枠１４に対して離れた位置から近接する位置に至るように非平行に配置される。また、図示は省略するが、戸尻側縦枠材３２Ｂの凹部３２ｅと下側横枠材３４Ｂの凸部を相互に嵌合させた状態において、戸尻側縦枠材３２Ｂの下端部の端面よりも、下側横枠材３４Ｂの外側の水平面（第１部分３４ｆの下面）を、当該扉フレーム３０Ｂの内側寄り（上方側寄り）に位置させている。このような構成により、ドア本体２０Ｂを全閉位置に位置させた状態において、これら第１部分３４ｆと下側横枠１４との相互間に、下側ピボットヒンジの少なくも一部を収容するための収容空間部７１が形成される。例えば、下側ピボットヒンジが、上下一対のプレートと、及びこれらプレートを相互に回転可能に軸支する支持部とを備えて構成されている場合には、上方側のプレートや支持部の全部又は一部が、収容空間部７１に収容される。なお、下側横枠材３４Ｂを構成する第１部分３４ｆ、中央部分３４ｇ、及び第２部分３４ｈの具体的な形成方法は任意であるが、本実施の形態においては、直線状の枠部材を中央部分３４ｇの長手方向の両端部周辺で折り曲げることにより、これら第１部分３４ｆ、中央部分３４ｇ、及び第２部分３４ｈを相互に一体に形成している。
【００７０】
次に、本実施の形態における枠材３５Ｂの嵌合構造について説明する。まず、上側横枠材３３Ｂに関する嵌合構造について説明する。図１２に示すように、上側横枠材３３Ｂの長手方向の左端部には、中央片３３ａの左端部分を切り欠くことによって凹部３３ｃが形成されており、戸先側縦枠材３１Ｂの長手方向の上端部には、一対の側片３１ｂの上端部分を切り欠くことによって凸部３１ｃが形成されている。そして、凹部３３ｃに凸部３１ｃを挿通させるように、これら凹部３３ｃと凸部３１ｃとを相互に嵌合させることによって、これら上側横枠材３３Ｂの長手方向の左端部と戸先側縦枠材３１Ｂの長手方向の上端部とが、従来のように相互に溶接されることなく、相互に固定されている。特に、本実施の形態においては、戸先側縦枠材３１Ｂの一対の側片３１ｂのうち、屋外側の側片３１ｂが、屋内側の側片３１ｂよりも戸先側縦枠１１に向けて長く伸びるように形成されており、ドア本体２０Ｂを全閉位置に位置させた状態において、この部分を戸先側縦枠１１の屋外側の面に当接させることで、これら戸先側縦枠材３１Ｂと戸先側縦枠１１との相互間の隙間が外部に露出することを防止して、意匠性及び防犯性を高めている。
【００７１】
また、図１４に示すように、上側横枠材３３Ｂの長手方向の右端部には、一対の側片３３ｂの右端部分を切り欠くことによって凸部３３ｉが形成されており、戸尻側縦枠材３２Ｂの長手方向の上端部には、中央片３２ａの上端部分を切り欠くことによって凹部３２ｅが形成されている。そして、凹部３２ｅに凸部３３ｉを挿通させるように、これら凹部３２ｅと凸部３３ｉとを相互に嵌合させることによって、これら上側横枠材３３Ｂの長手方向の右端部と戸尻側縦枠材３２Ｂの長手方向の上端部とが、従来のように相互に溶接されることなく、相互に固定されている。特に、本実施の形態においては、戸尻側縦枠材３２Ｂの一対の側片３２ｂのうち、屋外側の側片３２ｂが、屋内側の側片３２ｂよりも戸尻側縦枠１２に向けて長く伸びるように形成されており、ドア本体２０Ｂを全閉位置に位置させた状態において、この部分を戸尻側縦枠１２の屋外側の面に当接させることで、これら戸尻側縦枠材３２Ｂと戸尻側縦枠１２との相互間の隙間が外部に露出することを防止して、意匠性及び防犯性を高めている。
【００７２】
また、このような上側横枠材３３Ｂに関する嵌合構造は、下側横枠材３４Ｂに関する嵌合構造にも同様に適用されている。すなわち、図１１に示すように、下側横枠材３４Ｂの長手方向の左端部には、中央片３４ａの右端部分を切り欠くことによって凹部３４ｃが形成されており、戸先側縦枠材３１Ｂの長手方向の下端部には、一対の側片３１ｂの下端部分を切り欠くことによって凸部３１ｃが形成されている。そして、凹部３４ｃに凸部３１ｃを挿通させるように、これら凹部３４ｃと凸部３１ｃとを相互に嵌合させることによって、これら下側横枠材３４Ｂの長手方向の左端部と戸先側縦枠材３１Ｂの長手方向の下端部とが、従来のように相互に溶接されることなく、相互に固定されている。また、下側横枠材３４Ｂの長手方向の右端部には、一対の側片３４ｂの右端部分を切り欠くことによって凸部３４ｉが形成されており、戸尻側縦枠材３２Ｂの長手方向の下端部には、中央片３４ａの下端部分を切り欠くことによって凹部３２ｅが形成されている。そして、凹部３２ｅに凸部３４ｉを挿通させるように、これら凹部３２ｅと凸部３４ｉとを相互に嵌合させることによって、これら下側横枠材３４Ｂの長手方向の右端部と戸尻側縦枠材３２Ｂの長手方向の下端部とが、従来のように相互に溶接されることなく、相互に固定されている。
【００７３】
さらに、本実施の形態においては、戸先側縦枠材３１Ｂが扉フレーム３０Ｂの外側に向けて脱落することを一層強固に防止するための工夫が施されている。具体的には、図１２に示すように、上側横枠材３３Ｂの凹部３３ｃには、一対の爪部３３ｊが設けられている。これら一対の爪部３３ｊは、上側横枠材３３Ｂと戸先側縦枠材３１Ｂとの嵌合が解除されることを防止するための解除防止手段である。図１３は、爪部３３ｊの詳細を示す図であり、図１２の要部の平面図である。この図１３に示すように、一方の爪部３３ｊは、凹部３３ｃにおける一対の側壁部分の一方から内側に向けて張り出すように配置され、他方の爪部３３ｊは、凹部３３ｃにおける一対の側壁部分の他方から内側に向けて張り出すように配置されている。すなわち、これら一対の爪部３３ｊは、戸先側縦枠材３１Ｂの凸部３１ｃを屋外側と屋内側の両方から挟持するように配置されている。特に、これら一対の爪部３３ｊから凹部３３ｃの底壁部分に至る長さＬ１については、凸部３１ｃの肉厚と略同一となるように設定されており、このことによって、一対の爪部３３ｊと凹部３３ｃの底壁部分との相互間の空間部に、凸部３１ｃがほぼ隙間なく保持されており、上側横枠材３３Ｂが不用意に揺動することが防止されている（なお、図１３においては、図示の便宜上、凸部３１ｃを２点鎖線で示している）。これら一対の爪部３３ｊの具体的な張り出し長さや形状は任意であるが、例えば、凹部３３ｃの開放側から凸部３１ｃを挿通させる際に、凸部３１ｃを一対の爪部３３ｊを乗り越えて挿通することが比較的容易であるが、凸部３１ｃを一対の爪部３３ｊを乗り越えて逆方向に戻すことが比較的困難であるように、図１３に示すような平面三角形状とする。なお、一対の爪部３３ｊの具体的な形成方法は任意であるが、本実施の形態においては、上側横枠材３３Ｂに凹部３３ｃを打ち抜き形成する際に、一対の爪部３３ｊについても同時に打ち抜き形成しており、これら一対の爪部３３ｊが上側横枠材３３Ｂに一体に形成されている。
【００７４】
また、本実施の形態においては、上側横枠材３３Ｂに対して上方向や下方向に向かう力が加わる可能性が増大し、この上側横枠材３３Ｂが扉フレーム３０Ｂの外側に向けて脱落する可能性が増大する。このため、本実施の形態においては、このような脱落を一層強固に防止するための工夫が施されている。具体的には、図１４に示すように、戸尻側縦枠材３２Ｂの上端の凹部３２ｅには、一対の爪部３２ｆが設けられている。これら一対の爪部３２ｆは、上側横枠材３３Ｂと戸尻側縦枠材３２Ｂとの嵌合が解除されることを防止するための解除防止手段である。一方の爪部３２ｆは、凹部３２ｅにおける一対の側壁部分の一方から内側に向けて張り出すように配置され、他方の爪部３２ｆは、凹部３２ｅにおける一対の側壁部分の他方から内側に向けて張り出すように配置されている。すなわち、これら一対の爪部３２ｆは、上側横枠材３３Ｂの凸部３３ｉを屋外側と屋内側の両方から挟持するように配置されている。特に、これら一対の爪部３２ｆから凹部３２ｅの底壁部分に至る長さＬ２については、凸部３３ｉの肉厚と略同一となるように設定されており、このことによって、一対の爪部３２ｆと凹部３２ｅの底壁部分との相互間の空間部に、凸部３３ｉがほぼ隙間なく保持されており、上側横枠材３３Ｂが不用意に揺動することが防止されている。これら一対の爪部３２ｆの具体的な張り出し長さは任意であるが、例えば、凹部３２ｅの開放側から凸部３３ｉを挿通させる際に、凸部３３ｉを一対の爪部３２ｆを乗り越えて挿通することが比較的容易であるが、凸部３３ｉを一対の爪部３２ｆを乗り越えて逆方向に戻すことが比較的困難であるように、図１３に示すものと同様に、平面三角形状とする。なお、一対の爪部３２ｆの具体的な形成方法は任意であるが、本実施の形態においては、戸尻側縦枠材３２Ｂに凹部３２ｅを打ち抜き形成する際に、一対の爪部３２ｆについても同時に打ち抜き形成しており、これら一対の爪部３２ｆが戸尻側縦枠材３２Ｂに一体に形成されている。
【００７５】
なお、詳細な図示は省略するが、このような上側横枠材３３Ｂに関する解除防止構造は、下側横枠材３４Ｂに関しても同様に適用されている。すなわち、下側横枠材３４Ｂの凹部３４ｃには、一対の爪部（図示省略）が設けられている。これら一対の爪部は、下側横枠材３４Ｂと戸先側縦枠材３１Ｂとの嵌合が解除されることを防止するための解除防止手段である。一方の爪部は、凹部３４ｃにおける一対の側壁部分の一方から内側に向けて張り出すように配置され、他方の爪部は、凹部３４ｃにおける一対の側壁部分の他方から内側に向けて張り出すように配置されている。すなわち、これら一対の爪部は、戸先側縦枠材３１Ｂの凸部３１ｃを屋外側と屋内側の両方から挟持するように配置されている。
【００７６】
また、戸尻側縦枠材３２Ｂの下端の凹部３２ｅには、一対の爪部（図示省略）が設けられている。これら一対の爪部は、下側横枠材３４Ｂと戸尻側縦枠材３２Ｂとの嵌合が解除されることを防止するための解除防止手段である。これら一対の爪部は、戸尻側縦枠材３２Ｂと一体形成されており、一方の爪部は、凹部３２ｅにおける一対の側壁部分の一方から内側に向けて張り出すように配置され、他方の爪部は、凹部３２ｅにおける一対の側壁部分の他方から内側に向けて張り出すように配置されている。すなわち、これら一対の爪部は、下側横枠材３４Ｂの凸部３４ｉを屋外側と屋内側の両方から挟持するように配置されている。
【００７７】
（実施の形態２の効果）
このように実施の形態２によれば、複数の枠材３５Ｂの中で、相互に直交する少なくとも２つの枠材３５Ｂの少なくともいずれか一つには、凹部３２ｅ、３３ｃと凸部３１ｃ、３３ｉとの嵌合が解除されることを防止するための爪部３２ｆ、３３ｊを設けたので、２つの枠材３５Ｂの嵌合構造を一層安定的に維持することが可能になり、扉フレーム３０Ｂの安定性を一層向上させることが可能になる。
【００７８】
また、上記２つの枠材３５Ｂは、扉１Ｂの戸尻側に配置される戸尻側縦枠材３２Ｂと、この戸尻側縦枠材３２Ｂに対して直交する上側横枠材３３Ｂ又は下側横枠材３４Ｂであり、凹部３２ｅと凸部３３ｉを相互に嵌合させた状態において、戸尻側縦枠材３２Ｂの上側横枠材３３Ｂ又は下側横枠材３４Ｂ側の端部の端面よりも、上側横枠材３３Ｂの外側の水平面を、当該扉フレーム３０Ｂの内側寄りに位置させることにより、上側ピボットヒンジ又は下側ピボットヒンジの少なくも一部を収容するための収容空間部７０、７１を形成したので、比較的簡易な構造で上側ピボットヒンジ又は下側ピボットヒンジの収容空間部７０、７１を形成することが可能になり、扉フレーム３０Ｂの製造上のコストを一層低減することが可能となる。また、上側ピボットヒンジ又は下側ピボットヒンジの少なくとも一部を扉１Ｂの内側に収めることができることから、扉１Ｂの意匠性を維持又は向上させることが可能となる。
【００７９】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００８０】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る扉フレーム３０Ａ、３０Ｂの製造上の手間やコストが従来と同程度であっても、従来と異なる構造により従来と同程度の製造上の手間やコストとなっている場合には、本願の課題は解決している。
【００８１】
（扉フレームについて）
上記実施の形態１、２では、扉フレーム３０Ａ、３０Ｂの複数の枠材３５Ａ、３５Ｂの中で、相互に直交する２つの枠材３５となる組の全てが嵌合構造により接続されているものとして説明したが、これに限られず、例えば、一部の組のみを嵌合構造により接続することとし、他の組については溶接やボルト締め等の他の構造で接続するようにしてもよい。
【００８２】
上記実施の形態１、２で示した複数の枠材３５の配置方向は任意であり、例えば、戸先側縦枠１１や戸尻側縦枠１２については、鉛直線を中心として１８０度回転させた方向で配置してもよく、あるいは、上側横枠１３や下側横枠１４については、水平線を中心として１８０度回転させた方向で配置してもよい。
【００８３】
（枠材の断面形状について）
上記実施の形態１、２では、枠材３５の長手方向に直交する断面による断面形状がコ字状であると説明したが、これに限られず、例えば、Ｃ字状、Ｍ字状等であってもよい。また、「コ字状」とは、枠材３５の少なくとも一部分の断面形状がコ字状であることを意味しており、枠材３５の全体の断面形状がコ字状の断面形状に加えてさらに他の断面形状を付加したような形状（例えば、リップ溝型鋼の断面形状）を含む。
【００８４】
（凹部及び凸部について）
上記実施の形態１、２において説明した嵌合構造において、凹部と凸部をそれぞれ入れ替えてもよい。例えば、実施の形態１において、上側横枠材３３Ａの長手方向の左端部には、中央片３３ａの左端部分を切り欠くことによって凹部３３ｃが形成されており、戸先側縦枠材３１Ａの長手方向の上端部には、一対の側片３１ｂの上端部分を切り欠くことによって凸部３１ｃが形成されているものとして説明したが、上側横枠材３３Ａの長手方向の左端部に凸部を形成し、戸先側縦枠材３１Ａの長手方向の上端部に凹部を形成するようにしてもよい。
【００８５】
（解除防止手段について）
上記実施の形態２では、解除防止手段が一対の爪部により構成されている場合について説明したが、解除防止手段を一対の爪部以外により構成してもよい。例えば、一対の爪部のいずれか一方を省略してもよい。図１５は、上側横枠材及び戸尻側縦枠材の変形例を示す斜視図である。この図１５に示すように、戸尻側縦枠材３２Ｂの凸部３２ｃを上側横枠材３３Ｂの上面よりもやや上方に突出するように延出させた上で、この凸部３２ｃの延出部分における屋外側の側面に、屋外側に向けて張り出す爪３２ｆを設けると共に、この凸部３２ｃの延出部分における屋内側の側面に、屋内側に向けて張り出す爪３２ｆを設け、これら一対の爪３２ｆを上側横枠材３３Ｂの上面に係止させることにおり、上側横枠材３３Ｂが上方に抜けることを防止するようにしてもよい。あるいは、爪部を上側横枠材３３Ｂや戸尻側縦枠材３２Ｂに対して一体に形成するのではなく、別体に形成した後でネジ等の固定具や溶接によって固定するようにしてもよい。また、解除防止手段は、上記説明した位置に代えて、あるいは、上記説明した位置に加えて、他の位置に設けてもよい。
【００８６】
（ドア本体の製造方法について）
上記実施の形態１では、上側横枠材３３Ａと下側横枠材３４Ａとを屋外側表面材４２Ａに載置した後に、戸先側縦枠材３１Ａと戸尻側縦枠材３２Ａとを屋外側表面材４２Ａに固定するものとして説明したが、これに限られない。例えば、この順番を入れ替えてもよく、あるいは、戸先側縦枠材３１Ａ、戸尻側縦枠材３２Ａ、上側横枠材３３Ａ、及び下側横枠材３４Ａを相互に嵌合させて扉フレーム３０Ａを形成した後、この扉フレーム３０Ａを屋外側表面材４２Ａに固定してもよい。あるいは、上記実施の形態１で説明した製造方法において、屋外側表面材４２Ａと屋内側表面材４１Ａとの順序を入れ替えてもよい。
【００８７】
（付記）
付記１の扉フレームは、建物の開口部に設けられる扉を構成する扉フレームであり、複数の枠材を組み合わせることにより正面形状が矩形環状となるように形成された扉フレームであって、前記複数の枠材の中で、相互に直交する少なくとも２つの枠材のうち、一方の枠材の端部には当該一方の枠材の長手方向における外側に開放する凹部を１つのみ形成し、他方の枠材の端部には凸部を１つのみ形成し、前記凸部を前記凹部に対して当該凹部の開放側から当接させることにより、これら凹部と凸部を相互に嵌合させている。
【００８８】
また、付記２の扉フレームは、付記１に記載の扉フレームにおいて、当該扉フレームの表面を覆うように、当該扉フレームに取り付けられた表面材を備え、前記表面材によって、前記複数の枠材の少なくとも一部を当該扉フレームの外側に向けて脱落することを防止し、前記凸部と前記凹部との嵌合によって、前記複数の枠材の少なくとも一部を当該扉フレームの内側に向けて脱落することを防止する。
【００８９】
また、付記３の扉フレームは、付記１又は２に記載の扉フレームにおいて、前記２つの枠材の少なくともいずれか一つには、前記凹部と前記凸部との嵌合が解除されることを防止するための解除防止手段を設けている。
【００９０】
また、付記４の扉フレームは、付記１から３のいずれか一項に記載の扉フレームにおいて、前記２つの枠材の各々を、中央片と当該中央片に対して直交する一対の側片とから、当該枠材の長手方向に直交する断面による断面形状をコ字状とするように形成し、前記一方の枠材の前記中央片を切り欠くことによって前記凹部を形成し、前記他方の枠材の前記一対の側片を切り欠くことによって前記凸部を形成している。
【００９１】
また、付記５の扉フレームは、付記１から４のいずれか一項に記載の扉フレームにおいて、当該扉フレームは、前記建物に対して中心吊りされる前記扉を構成する扉フレームであって、前記２つの枠材は、前記扉の戸尻側に配置される縦枠材と、この縦枠材に対して直交する横枠材であり、前記凹部と凸部を相互に嵌合させた状態において、前記縦枠材の前記横枠材側の端部の端面よりも、前記横枠材の外側の水平面を、当該扉フレームの内側寄りに位置させることにより、前記扉を前記建物に対して中心吊りするための中心吊り手段の少なくとも一部を収容するための収容空間部を形成している。
【００９２】
（付記の効果）
付記１に記載の扉フレームによれば、複数の枠材の中で、相互に直交する少なくとも２つの枠材のうち、一方の枠材の端部には当該一方の枠材の長手方向における外側に開放する凹部を１つのみ形成し、他方の枠材の端部には凸部を１つのみ形成し、凸部を凹部に対して当該凹部の開放側から当接させることにより、これら凹部と凸部を相互に嵌合させたので、少なくとも２つの枠材を凹部と凸部との嵌合構造により相互に固定することが可能になり、これら２つの枠材を従来のように相互に突き合わせた状態で一旦保持しておく必要性や、これら２つの枠材を従来のように相互に溶接する必要性がなくなるため、扉フレームの製造上の手間やコストを低減することが可能になる。また、２つの枠材を従来のように相互に突き合わせる構造では、これら２つの枠材の相互間における位置ずれが生じ易く、扉フレームの製造誤差が増大する可能性があったが、これら２つの枠材を凹部と凸部との嵌合構造により相互に固定することで、これら２つの枠材の相互間における位置ずれを低減することが可能になり、扉フレームの製造誤差を低減することが可能になる。また、凹部と凸部をそれぞれ１つのみ形成すればよいため、複数の凹部又は凸部を形成するような複雑な嵌合構造を採用する場合に比べて、扉フレームの製造上の手間やコストを一層低減することが可能になる。さらに、これら２つの枠材を従来のように相互に溶接する必要性がなくなることから、溶接が困難な材料であっても扉フレームの構成材料として適用することが可能になり、扉フレームの構成材料の選択の自由度を向上させることが可能になる。
【００９３】
付記２に記載の扉フレームによれば、表面材によって、複数の枠材の少なくとも一部を当該扉フレームの外側に向けて脱落することを防止し、凸部と凹部との嵌合構造によって、複数の枠材の少なくとも一部を当該扉フレームの内側に向けて脱落することを防止するので、表面材による外側への脱落防止効果と、凸部と凹部との嵌合による内側への脱落防止効果とを組み合わせることで、複数の枠材の少なくとも一部が外側及び内側のいずれに対しても脱落しない安定的な扉フレームを構成することが可能になる。
【００９４】
付記３に記載の扉フレームによれば、上記２つの枠材の少なくともいずれか一つには、凹部と凸部との嵌合が解除されることを防止するための解除防止手段を設けたので、２つの枠材の嵌合構造を一層安定的に維持することが可能になり、扉フレームの安定性を一層向上させることが可能になる。
【００９５】
付記４に記載の扉フレームによれば、上記２つの枠材の各々を、当該枠材の長手方向に直交する断面による断面形状をコ字状とするように形成し、一方の枠材の中央片を切り欠くことによって凹部を形成し、他方の枠材の一対の側片を切り欠くことによって凸部を形成したので、比較的簡易な構造で嵌合構造を構成することが可能になり、扉フレームの製造上のコストを一層低減することが可能となる。
【００９６】
付記５に記載の扉フレームによれば、上記２つの枠材は、扉の戸尻側に配置される縦枠材と、この縦枠材に対して直交する横枠材であり、凹部と凸部を相互に嵌合させた状態において、縦枠材の横枠材側の端部の端面よりも、横枠材の外側の水平面を、当該扉フレームの内側寄りに位置させることにより、中心吊り手段の少なくとも一部を収容するための収容空間部を形成したので、比較的簡易な構造で中心吊り手段の収容空間部を形成することが可能になり、扉フレームの製造上のコストを一層低減することが可能となる。また、中心吊り手段の少なくとも一部を扉の内側に収めることができることから、扉の意匠性を維持又は向上させることが可能となる。
【符号の説明】
【００９７】
１Ａ、１Ｂ  扉
２  躯体
３  開口部
１０  ドア枠
１１  縦枠（戸先側縦枠）
１２  縦枠（戸尻側縦枠）
１３  横枠（上側横枠）
１４  横枠（下側横枠）
２０Ａ、２０Ｂ  ドア本体
３０Ａ、３０Ｂ  扉フレーム
３１Ａ、３１Ｂ  縦枠材（戸先側縦枠材）
３１ａ  中央片
３１ｂ  側片
３１ｃ  凸部
３１ｄ  施錠装置取付用ライナ
３１ｅ  ドアガード取付用ライナ
３２Ａ、３２Ｂ  縦枠材（戸尻側縦枠材）
３２ａ  中央片
３２ｂ  側片
３２ｃ  凸部
３２ｄ  蝶番取付用ライナ
３２ｅ  凹部
３２ｆ  爪部
３３Ａ、３３Ｂ  横枠材（上側横枠材）
３３ａ  中央片
３３ｂ  側片
３３ｃ  凹部
３３ｄ  ドアクローザ取付用ライナ
３３ｅ  ピボットヒンジ取付用ライナ
３３ｆ  第１部分
３３ｇ  中央部分
３３ｈ  第２部分
３３ｉ  凸部
３３ｊ  爪部
３４Ａ、３４Ｂ  横枠材（下側横枠材）
３４ａ  中央片
３４ｂ  側片
３４ｃ  凹部
３４ｄ  戸当たり用ライナ
３４ｅ  ピボットヒンジ取付用ライナ
３４ｆ  第１部分
３４ｇ  中央部分
３４ｈ  第２部分
３４ｉ  凸部
３５Ａ、３５Ｂ  枠材
４１Ａ、４１Ｂ  表面材（屋内側表面材）
４１ａ  主面部
４１ｂ  上側面部
４１ｃ  下側面部
４１ｄ  戸先側面部
４１ｅ  戸尻側面部
４２Ａ、４２Ｂ  表面材（屋外側表面材）
４２ａ  主面部
４２ｂ  上側面部
４２ｃ  下側面部
４２ｄ  戸先側面部
４２ｅ  戸尻側面部
４４、４５  リベット
４６、４７  挿通口
５０  コア
６１  把手
６２  施錠装置
６３  蝶番
７０、７１  収容空間部
Ｄ１、Ｄ２  深さ
Ｌ１、Ｌ２  長さ
【図１】
2015209745.tif 000003
【図２】
2015209745.tif 000004
【図３】
2015209745.tif 000005
【図４】
2015209745.tif 000006
【図５】
2015209745.tif 000007
【図６】
2015209745.tif 000008
【図７】
2015209745.tif 000009
【図８】
2015209745.tif 000010
【図９】
2015209745.tif 000011
【図１０】
2015209745.tif 000012
【図１１】
2015209745.tif 000013
【図１２】
2015209745.tif 000014
【図１３】
2015209745.tif 000015
【図１４】
2015209745.tif 000016
【図１５】
2015209745.tif 000017